(57)【要約】【課題】膝裏を適切にマッサージできるオットマンおよびこれを備えるマッサージ機を提供する。【解決手段】オットマン１００は下腿を配置可能な凹部１１１を含む脚支持部１１０と、凹部１１１に配置された下腿の膝裏を押すように凹部１１１に設けられた第２押圧部１６０とを備える。第２押圧部１６０は凹部１１１の深さ方向に積層された複数の膝裏エアバッグ１６１を含む。【選択図】図４
2018171287.tif 000002
【特許請求の範囲】
【請求項１】
下腿を配置可能な凹部を含む脚支持部と、
前記凹部に配置された前記下腿の膝裏を押すように前記凹部に設けられた押圧部とを備え、
前記押圧部は前記凹部の深さ方向に積層された複数の膝裏エアバッグを含む
オットマン。
【請求項２】
前記押圧部は、積層された前記複数の膝裏エアバッグのうちの前記凹部の開口部側の膝裏エアバッグに設けられた突起をさらに含み、
前記突起は、前記複数の膝裏エアバッグの膨張にともない前記凹部に配置された前記膝裏の窪みに入り込むように構成されている
請求項１に記載のオットマン。
【請求項３】
前記複数の膝裏エアバッグは、前記凹部に配置された右下腿の膝裏を押す第１右膝裏エアバッグ、前記凹部に配置された左下腿の膝裏を押す第１左膝裏エアバッグ、ならびに、前記第１右膝裏エアバッグおよび前記第１左膝裏エアバッグを膝裏に向けて押すように前記第１右膝裏エアバッグおよび前記第１左膝裏エアバッグに対して前記凹部の底部側に配置された第２膝裏エアバッグを含む
請求項１または２に記載のオットマン。
【請求項４】
前記第２膝裏エアバッグは、前記第１右膝裏エアバッグに対して前記凹部の底部側に配置された第２右膝裏エアバッグ、および、前記第１左膝裏エアバッグに対して前記凹部の底部側に配置された第２左膝裏エアバッグを含めて一体的に構成されている
請求項３に記載のオットマン。
【請求項５】
前記脚支持部の幅方向における前記第１右膝裏エアバッグの最大膨張部の位置および前記第１左膝裏エアバッグの最大膨張部の位置は前記第２膝裏エアバッグの最大膨張部の位置と異なる
請求項３または４に記載のオットマン。
【請求項６】
前記第１右膝裏エアバッグおよび前記第１左膝裏エアバッグは前記第２膝裏エアバッグよりも柔軟な材料により構成されている
請求項３〜５のいずれか一項に記載のオットマン。
【請求項７】
前記押圧部は、前記第１右膝裏エアバッグを前記脚支持部に固定できるように前記第１右膝裏エアバッグから延びた帯状の第１右固定部、前記第１左膝裏エアバッグを前記脚支持部に固定できるように前記第１左膝裏エアバッグから延びた帯状の第１左固定部、および、前記第２膝裏エアバッグを前記脚支持部に固定できるように前記第２膝裏エアバッグから延びた帯状の第２固定部を含み、
前記第１右固定部のうちの前記脚支持部に固定された部分から前記第１右膝裏エアバッグに接続された部分までの長さ、および、前記第１左固定部のうちの前記脚支持部に固定された部分から前記第１左膝裏エアバッグに接続された部分までの長さは、前記第２固定部のうちの前記脚支持部に固定された部分から前記第２膝裏エアバッグに接続された部分までの長さよりも長い
請求項３〜６のいずれか一項に記載のオットマン。
【請求項８】
椅子と、
請求項１〜７のいずれか一項に記載のオットマンとを備える
マッサージ機。
【発明の詳細な説明】
【技術分野】
【０００１】
本発明はオットマンおよびこれを備えるマッサージ機に関する。
【背景技術】
【０００２】
エアバッグを用いて下腿をマッサージするオットマンが知られている。従来のオットマンは、例えば下腿を配置可能な凹部を含む脚支持部、および、凹部に配置された下腿の側部等をマッサージするように凹部に設けられた複数のエアバッグを備える。複数のエアバッグが膨張および収縮を繰り返すことにより下腿がマッサージされる。特許文献１は従来のオットマンの一例を開示している。
【先行技術文献】
【特許文献】
【０００３】
【特許文献１】特開２００６−９５１６９号公報
【発明の概要】
【発明が解決しようとする課題】
【０００４】
膝裏をマッサージすることにより、好ましいマッサージ感をユーザに提供できる。特許文献１では、膝裏のマッサージについて特に言及していない。
【課題を解決するための手段】
【０００５】
本発明に関するオットマンの一形態は、下腿を配置可能な凹部を含む脚支持部と、前記凹部に配置された前記下腿の膝裏を押すように前記凹部に設けられた押圧部とを備え、前記押圧部は前記凹部の深さ方向に積層された複数の膝裏エアバッグを含む。
【発明の効果】
【０００６】
本発明に関するオットマンおよびこれを備えるマッサージ機によれば、膝裏を適切にマッサージできる。
【図面の簡単な説明】
【０００７】
【図１】実施の形態のマッサージ機の斜視図。
【図２】図１のオットマンの斜視図。
【図３】図１のマッサージ機の電気的な接続関係を示すブロック図。
【図４】図２の脚支持部の斜視図。
【図５】図４の脚支持部の平面図。
【図６】図４の脚支持部の正面図。
【図７】図２の内側面エアバッグの正面図。
【図８】図７の内側面エアバッグが凹部に取り付けられた状態を示す正面図。
【図９】図８のＤ９−Ｄ９線に沿う断面図。
【図１０】図２の第２押圧部の正面図。
【図１１】図１０の膝裏エアバッグが膨張していない状態を示す模式図。
【図１２】図１０の膝裏エアバッグが膨張した状態を示す模式図。
【図１３】図１０の第２押圧部の側面図。
【図１４】図１０の膝裏エアバッグと固定部との関係を示す断面図。
【図１５】図２のオットマンの使用状態の一例を示す平面図。
【発明を実施するための形態】
【０００８】
（オットマンおよびこれを備えるマッサージ機が取り得る形態の一例）
（１）本発明に関するオットマンの一形態は、下腿を配置可能な凹部を含む脚支持部と、前記凹部に配置された前記下腿の膝裏を押すように前記凹部に設けられた押圧部とを備え、前記押圧部は前記凹部の深さ方向に積層された複数の膝裏エアバッグを含む。
【０００９】
上記オットマンによれば、押圧部により膝裏がマッサージされるため、膝裏を適切にマッサージできる。また、複数の膝裏エアバッグが凹部の深さ方向に積層されているため、複数の膝裏エアバッグが膨張することにより膝裏エアバッグが凹部に対して大きく突出する。このため、押圧部により膝裏に与えられるマッサージ感が高められる。
【００１０】
一方、膝裏エアバッグが膨張していない状態（以下「非膨張状態」）では、膝裏と押圧部とが接触しないことが好ましい。しかし、非膨張状態において膝裏と押圧部とが接触しない構成では、膝裏エアバッグが膨張した場合に押圧部により膝裏に与えられるマッサージ感が低下する。上記オットマンによれば、複数の膝裏エアバッグが膨張することにより膝裏エアバッグが凹部に対して大きく突出するため、非膨張状態において膝裏と押圧部とが接触しない構成を用いたとしても、押圧部により膝裏に与えられるマッサージ感が低下しにくい。
【００１１】
（２）前記オットマンの一例によれば、前記押圧部は、積層された前記複数の膝裏エアバッグのうちの前記凹部の開口部側の膝裏エアバッグに設けられた突起をさらに含み、
前記突起は、前記複数の膝裏エアバッグの膨張にともない前記凹部に配置された前記膝裏の窪みに入り込むように構成されている。
上記オットマンによれば、突起により膝裏がマッサージされるため、高いマッサージ感が膝裏に与えられる。
【００１２】
（３）前記オットマンの一例によれば、前記複数の膝裏エアバッグは、前記凹部に配置された右下腿の膝裏を押す第１右膝裏エアバッグ、前記凹部に配置された左下腿の膝裏を押す第１左膝裏エアバッグ、ならびに、前記第１右膝裏エアバッグおよび前記第１左膝裏エアバッグを膝裏に向けて押すように前記第１右膝裏エアバッグおよび前記第１左膝裏エアバッグに対して前記凹部の底部側に配置された第２膝裏エアバッグを含む。
上記オットマンによれば、第１右膝裏エアバッグと第１左膝裏エアバッグとが個別に膨張するため、右下腿の膝裏および左下腿の膝裏のそれぞれが適切にマッサージされる。
【００１３】
（４）前記オットマンの一例によれば、前記第２膝裏エアバッグは、前記第１右膝裏エアバッグに対して前記凹部の底部側に配置された第２右膝裏エアバッグ、および、前記第１左膝裏エアバッグに対して前記凹部の底部側に配置された第２左膝裏エアバッグを含めて一体的に構成されている。
【００１４】
上記オットマンによれば、第２右膝裏エアバッグと第２左膝裏エアバッグとが個別に構成される場合よりも膨張量が大きくなる。このため、押圧部により膝裏に与えられるマッサージ感が高められる。
【００１５】
（５）前記オットマンの一例によれば、前記脚支持部の幅方向における前記第１右膝裏エアバッグの最大膨張部の位置および前記第１左膝裏エアバッグの最大膨張部の位置は前記第２膝裏エアバッグの最大膨張部の位置と異なる。
【００１６】
上記オットマンによれば、第１右膝裏エアバッグおよび第１左膝裏エアバッグが膨張する方向が凹部の深さ方向と異なるため、第１右膝裏エアバッグおよび第１左膝裏エアバッグにより膝裏が押される方向が可変し、膝裏が指圧されたようなマッサージ感がユーザに与えられる。このため、高いマッサージ感が膝裏に与えられる。
【００１７】
（６）前記オットマンの一例によれば、前記第１右膝裏エアバッグおよび前記第１左膝裏エアバッグは前記第２膝裏エアバッグよりも柔軟な材料により構成されている。
上記オットマンによれば、第１右膝裏エアバッグおよび第１左膝裏エアバッグが膝裏と接触した場合にソフトな接触感が得られるため、好ましいマッサージ感が膝裏に与えられやすい。
【００１８】
（７）前記オットマンの一例によれば、前記押圧部は、前記第１右膝裏エアバッグを前記脚支持部に固定できるように前記第１右膝裏エアバッグから延びた帯状の第１右固定部、前記第１左膝裏エアバッグを前記脚支持部に固定できるように前記第１左膝裏エアバッグから延びた帯状の第１左固定部、および、前記第２膝裏エアバッグを前記脚支持部に固定できるように前記第２膝裏エアバッグから延びた帯状の第２固定部を含み、前記第１右固定部のうちの前記脚支持部に固定された部分から前記第１右膝裏エアバッグに接続された部分までの長さ、および、前記第１左固定部のうちの前記脚支持部に固定された部分から前記第１左膝裏エアバッグに接続された部分までの長さは、前記第２固定部のうちの前記脚支持部に固定された部分から前記第２膝裏エアバッグに接続された部分までの長さよりも長い。
【００１９】
上記オットマンによれば、第１右膝裏エアバッグおよび第１左膝裏エアバッグの膨張が第１右固定部および第１左固定部により制限されにくいため、好ましいマッサージ感が膝裏に与えられやすい。
【００２０】
（８）本発明に関するマッサージ機の一形態は、椅子と、上記（１）〜（７）のいずれかに記載のオットマンとを備える。
上記マッサージ機によれば、（１）〜（７）のオットマンにより得られる効果と実質的に同じ効果が得られる。
【００２１】
（実施の形態）
図１はマッサージ機１の外観である。マッサージ機１は例えば床面（図示略）等の平坦な設置面に設置して使用される。マッサージ機１は商用電源等の外部電源（図示略）から供給される電力により駆動する。図１に示される例では、マッサージ機１の外観に露出する各種の要素はそれぞれカバーＣにより覆われている。
【００２２】
マッサージ機１は椅子１０、施療装置２０、コントローラ３０、および、制御装置４０（図３参照）を備える。椅子１０の機能は身体を支持することである。椅子１０は座１１、背もたれ１２、一対の肘掛け１３、および、オットマン１００を含む。背もたれ１２は例えば座１１の後方に設けられ、座１１との接続部分を軸として回転可能に座１１に取り付けられている。オットマン１００は例えば座１１の前方に設けられ、座１１との接続部分を軸として回転可能に座１１に取り付けられている。
【００２３】
施療装置２０の機能は身体の背中等がマッサージされるように各種のマッサージ動作を形成することである。施療装置２０は施療ブロック２１、一対のアーム２２、複数の揉み玉２３、および、一対のレール２４を含む。施療ブロック２１の機能は複数の揉み玉２３を駆動することである。施療ブロック２１は複数の機械要素により構成されている。施療ブロック２１は例えば背もたれ１２内に設けられ、レール２４に沿って移動可能にレール２４に支持されている。レール２４は背もたれ１２内に設けられ、背もたれ１２の高さ方向に延びている。このため、施療ブロック２１は背もたれ１２の高さ方向において背もたれ１２に対して移動可能である。
【００２４】
一対のアーム２２は例えば互いに１つの揉み玉２３を支持している。一例では、一対のアーム２２は椅子１０の幅方向に延びる施療ブロック２１の回転軸（図示略）まわりに回転可能、および、椅子１０の幅方向に沿って移動可能にその回転軸に支持されている。揉み玉２３の機能は身体をマッサージすることである。揉み玉２３はアーム２２の先端に取り付けられる。一対の揉み玉２３は施療ブロック２１がレール２４に沿って移動することにより背もたれ１２の高さ方向に移動し、アーム２２が回転軸まわりに回転することにより椅子１０の前後方向に移動し、アーム２２が回転軸に沿って移動することにより椅子１０の幅方向に移動する。このように、施療装置２０は揉み玉２３を移動させることにより各種のマッサージ動作を形成する。
【００２５】
コントローラ３０の機能はマッサージ機１の動作に関する情報を入力および出力することである。コントローラ３０は例えばマッサージ機１の電源のオンおよびオフを切り替える機能を含む。コントローラ３０は制御装置４０と電気的に接続されている。制御装置４０の機能はコントローラ３０により入力された情報に基づいて施療装置２０およびオットマン１００等を制御することである。制御装置４０は例えば座１１の内部に設けられる。
【００２６】
オットマン１００は脚支持部１１０、足置台１８０、および、一対の連結支持部１９０を備える。連結支持部１９０の機能は脚支持部１１０および足置台１８０を支持することである。一対の連結支持部１９０は例えば脚支持部１１０および足置台１８０を挟むように設けられ、座１１との接続部分を軸として回転可能に座１１に取り付けられている。
【００２７】
脚支持部１１０の機能は下腿Ｌ（図１５参照）を支持することである。脚支持部１１０は例えば一対の連結支持部１９０に支持されている。脚支持部１１０は凹部１１１、側壁１１２、および、背壁１１６を含む。凹部１１１は下腿Ｌを配置できるように構成されている。凹部１１１は右凹部１１１Ａ、左凹部１１１Ｂ、および、開口部１１１Ｃを含む。右凹部１１１Ａは右下腿Ｌ１（図１５参照）を配置可能である。左凹部１１１Ｂは左下腿Ｌ２（図１５参照）を配置可能である。開口部１１１Ｃは凹部１１１の正面側に開口した部分である。
【００２８】
側壁１１２の機能は下腿Ｌの側部を支持することである。側壁１１２は凹部１１１の側部を構成している。側壁１１２は一対の外側壁１１３および中間壁１１５を含む。一方の外側壁１１３は右凹部１１１Ａの外側の側壁１１２を構成する。他方の外側壁１１３は左凹部１１１Ｂの外側の側壁１１２を構成する。中間壁１１５は右凹部１１１Ａと左凹部１１１Ｂとを区画するように一方の外側壁１１３と他方の外側壁１１３との間に設けられ、右凹部１１１Ａの内側の側壁１１２および左凹部１１１Ｂの内側の側壁１１２を構成する。背壁１１６の機能は下腿Ｌの背部を支持することである。背壁１１６は凹部１１１の底部側を構成している。一対の外側壁１１３および中間壁１１５は凹部１１１が形成されるように背壁１１６と結合している。
【００２９】
脚支持部１１０は未区画部１１７をさらに含む。未区画部１１７は中間壁１１５の上方に設けられ、右凹部１１１Ａと左凹部１１１Ｂとが中間壁１１５によって区画されていない部分である。中間壁１１５の上端は外側壁１１３の上端および背壁１１６の上端よりも低い。
【００３０】
足置台１８０の機能は足を支持することである。足置台１８０は例えば一対の連結支持部１９０に支持されている。足置台１８０は一対の凹部１８１、一対の外側壁１８２、中間壁１８３、底壁１８４、および、背壁１８５を含む。凹部１８１は足を配置できるように構成されている。外側壁１８２の機能は足の外側を支持することである。中間壁１８３の機能は足の内側を支持することである。底壁１８４の機能は足裏を支持することである。背壁１８５の機能は足の背部を支持することである。一対の外側壁１８２および中間壁１８３は一対の凹部１８１が形成されるように底壁１８４および背壁１８５と結合している。
【００３１】
図２はオットマン１００の内部構造を示す。
オットマン１００は、第１押圧部１２０、第２押圧部１６０、および、複数の足側面エアバッグ１８６をさらに備える。足側面エアバッグ１８６の機能は足置台１８０の凹部１８１に配置された足の側面を挟み込むことである。図２に示される例では、複数の足側面エアバッグ１８６は一対の外側壁１８２および中間壁１８３のうちの足を支持する面のそれぞれに設けられている。足側面エアバッグ１８６の数の一例は４つである。
【００３２】
第１押圧部１２０は、脚支持部１１０の凹部１１１に配置された下腿Ｌの前部および側部の少なくとも一方を押す強さを調節可能に凹部１１１に設けられている。第１押圧部１２０は一対の第１エアバッグ１２１を含む。第１エアバッグ１２１は膨張したときに膝の側部を押さないように凹部１１１に設けられている。第１エアバッグ１２１と膝の側部との関係は、例えば第１エアバッグ１２１の配置および第１エアバッグ１２１の膨張量の少なくとも一方により決められる。一例では、第１エアバッグ１２１は凹部１１１において、膨張したときに膝の側部を押さない位置に設けられている。
【００３３】
第１エアバッグ１２１は外側面エアバッグ１３０、内側面エアバッグ１４０、および、補助エアバッグ１５０を含む。外側面エアバッグ１３０は外側壁１１３のうちの下腿Ｌを支持する面に設けられている。内側面エアバッグ１４０は中間壁１１５および背壁１１６のうちの下腿Ｌを支持する面に設けられている。補助エアバッグ１５０の機能は内側面エアバッグ１４０の膨張にともなう下腿Ｌを押す力を強めることである。補助エアバッグ１５０は例えば脚支持部１１０の凹部１１１と内側面エアバッグ１４０との間に設けられている。なお、内側面エアバッグ１４０は脚支持部１１０の凹部１１１と補助エアバッグ１５０との間に設けられてもよい。
【００３４】
第２押圧部１６０は、脚支持部１１０の凹部１１１に配置された下腿Ｌの膝を押す強さを調節可能に凹部１１１に設けられている。第２押圧部１６０は膝裏エアバッグ１６１および一対の突起１６５を含む。膝裏エアバッグ１６１は第２エアバッグを構成する。膝裏エアバッグ１６１は背壁１１６のうちの膝裏を支持する面に設けられている。一例では、膝裏エアバッグ１６１は背壁１１６のうちの右凹部１１１Ａ、左凹部１１１Ｂ、および、未区画部１１７と対応する部分に跨るように設けられている。
【００３５】
突起１６５は、膝裏エアバッグ１６１の膨張にともない凹部１１１に配置された膝裏の窪みに入り込むように構成されている。一例では、突起１６５の形状は膝裏の窪みにフィットするような丸みを帯びた形状である。一方の突起１６５は膝裏エアバッグ１６１のうちの右凹部１１１Ａと対応する部分に設けられる。他方の突起１６５は膝裏エアバッグ１６１のうちの左凹部１１１Ｂと対応する部分に設けられる。オットマン１００によれば、第１押圧部１２０により下腿Ｌが押されるため、第２押圧部１６０により膝裏が押された場合に下腿Ｌが開口部１１１Ｃ側へ移動しにくい。このため、第２押圧部１６０により膝裏に与えられるマッサージ感が高められる。
【００３６】
図３はマッサージ機１を構成する各種の要素の電気的な接続関係を示す。
オットマン１００は駆動部５０および排気通路５７をさらに備える。駆動部５０の機能は各エアバッグ１３０、１４０、１５０、１６１、１８６に空気を供給し、各エアバッグ１３０、１４０、１５０、１６１、１８６から空気を排出することである。駆動部５０は複数の電磁弁およびエアポンプ５６を含む。複数の電磁弁は第１電磁弁５１、第２電磁弁５２、第３電磁弁５３、第４電磁弁５４、および、第５電磁弁５５を含む。電磁弁５１〜５５の機能は各エアバッグ１３０、１４０、１５０、１６１、１８６における空気の給排態様を変更することである。エアポンプ５６の機能は各エアバッグ１３０、１４０、１５０、１６１、１８６に空気を供給することである。制御装置４０は電磁弁５１〜５５およびエアポンプ５６を制御することにより、各エアバッグ１３０、１４０、１５０、１６１、１８６の膨張量を調節できる。駆動部５０は各押圧部１２０、１６０を構成する要素の一部に含まれる。
【００３７】
制御装置４０が第１電磁弁５１を制御することにより、外側面エアバッグ１３０における空気の給排態様が変更される。一例では、第１電磁弁５１が外側面エアバッグ１３０とエアポンプ５６とを接続する場合に外側面エアバッグ１３０に空気が供給され、第１電磁弁５１が外側面エアバッグ１３０と排気通路５７とを接続する場合に外側面エアバッグ１３０から空気が排出される。また、第１電磁弁５１が外側面エアバッグ１３０とエアポンプ５６または排気通路５７とを接続しない場合、外側面エアバッグ１３０に供給された空気が保持される。
【００３８】
制御装置４０が第２電磁弁５２を制御することにより、内側面エアバッグ１４０における空気の給排態様が変更される。制御装置４０が第３電磁弁５３を制御することにより、補助エアバッグ１５０における空気の給排態様が変更される。制御装置４０が第４電磁弁５４を制御することにより、膝裏エアバッグ１６１における空気の給排態様が変更される。制御装置４０が第５電磁弁５５を制御することにより、足側面エアバッグ１８６における空気の給排態様が変更される。
【００３９】
図４〜図６を参照して、脚支持部１１０の具体的な構成について説明する。
図４に示されるように、外側面エアバッグ１３０は膨張部１３１および非膨張部１３２を含む。膨張部１３１は外側面エアバッグ１３０のうちの膨張する部分である。膨張部１３１は、第２押圧部１６０により膝裏が押された場合に下腿Ｌが凹部１１１の開口部１１１Ｃから凹部１１１の外側に飛び出ることを妨げることができるように外側壁１１３のうちの前方側の部分に設けられている。一例では、膨張部１３１が膨張した場合に下腿Ｌの前部および側部が膨張部１３１により押される。この構成では、膨張部１３１により前後方向における下腿Ｌの位置が保持されるため、膝裏エアバッグ１６１が膝裏を押すように膨張したとしても前後方向における下腿Ｌの位置がずれにくい。このため、膝裏に与えられるマッサージ感が高められる。
【００４０】
非膨張部１３２は所定の大きさの厚みを有し、外側面エアバッグ１３０のうちの膨張しない部分である。非膨張部１３２は例えば外側壁１１３のうちの上方の部分と対向するように、外側面エアバッグ１３０のうちの膨張部１３１よりも上方に設けられている。このため、外側面エアバッグ１３０を覆うカバーＣ（図１参照）が非膨張部１３２により支えられ、カバーＣが撚れにくい。
【００４１】
外側面エアバッグ１３０は、膨張部１３１のうちの最も膨張する部分（以下「最大膨張部ＭＥ」）が膝裏エアバッグ１６１のうちの最も膨張する部分（以下「最大膨張部ＭＫ１」）よりも下方に位置するように外側壁１１３に設けられている。具体的には、外側面エアバッグ１３０は、膨張部１３１の上端部１３１Ａが膝裏エアバッグ１６１の最大膨張部ＭＫ１よりも下方に位置するように外側壁１１３に設けられている。この構成では、下腿Ｌが凹部１１１に配置された状態において膨張部１３１が膨張したとしても膨張部１３１が膝と接触しにくいため、脚支持部１１０に対する膝の位置が大きくずれにくい。また、膝の側部を押さないように膨張部１３１が膨張するため、脚支持部１１０に対する膝の位置が一層ずれにくい。このため、第２押圧部１６０により膝裏が適切にマッサージされやすい。最大膨張部ＭＥは例えば膨張部１３１の中央に設定されている。最大膨張部ＭＫ１は例えば膝裏エアバッグ１６１のうちの突起１６５と対応する部分に設定されている。一例では、最大膨張部ＭＫ１は膝裏エアバッグ１６１のうちの突起１６５の頂点と対応する部分に設定されている。
【００４２】
駆動部５０（図３参照）は、例えば膨張部１３１が膨張した状態で膝裏エアバッグ１６１への空気の供給を開始できるように構成されている。具体的には、制御装置４０（図３参照）は膨張部１３１が膨張した状態で膝裏エアバッグ１６１への空気の供給が開始されるように駆動部５０を制御する。この構成では、前後方向における下腿Ｌの位置が保持された状態で膝裏がマッサージされるため、膝裏に与えられるマッサージ感が高められる。
【００４３】
図５に示されるように、外側壁１１３は側壁主部１１３Ａおよび被覆部１１４を含む。側壁主部１１３Ａは外側壁１１３のうちの凹部１１１に配置された下腿Ｌの側部を支持する部分である。被覆部１１４は外側面エアバッグ１３０の縁１３３の少なくとも一部を覆うように、側壁主部１１３Ａにおける凹部１１１の開口部１１１Ｃ側の端部から脚支持部１１０の中心側に突出している。このため、ユーザが下腿Ｌを凹部１１１に配置するために開口部１１１Ｃ側から凹部１１１内に下腿Ｌを移動させようとした場合に下腿Ｌが外側面エアバッグ１３０の縁１３３に引っ掛かりにくい。
【００４４】
被覆部１１４の内面１１４Ａは、背壁１１６側から凹部１１１の開口部１１１Ｃ側に向けて脚支持部１１０の中心側に傾くように構成されている。この構成では、ユーザが凹部１１１に配置した下腿Ｌを凹部１１１の外側に移動させる場合に被覆部１１４の内面１１４Ａの形状に沿って下腿Ｌの動作が案内される。このため、凹部１１１の外側に向かう下腿Ｌの動作が被覆部１１４に妨げられにくい。また、外側面エアバッグ１３０の膨張部１３１は被覆部１１４の内面１１４Ａ上に配置されている。具体的には、外側面エアバッグ１３０は膨張部１３１が被覆部１１４の内面１１４Ａと対向するように外側壁１１３に設けられている。この構成では、膨張部１３１が膨張した場合に下腿Ｌの前部が膨張部１３１により押されるため、下腿Ｌが凹部１１１の外側に飛び出しにくい。
【００４５】
外側面エアバッグ１３０は例えば固定部（図示略）により外側壁１１３に固定されている。固定部の一例は接着剤である。固定部は例えば外側面エアバッグ１３０のうちの非膨張部１３２等の膨張部１３１以外の部分に設けられている。一例では、膨張部１３１は膨張することにより側壁主部１１３Ａ側に倒れるように被覆部１１４の内面１１４Ａに固定されていない。具体的には、膨張部１３１は膨張することにより側壁主部１１３Ａ側に倒れるように固定部に対して折れ曲がる。この構成では、膨張部１３１が側壁主部１１３Ａ側に倒れることによって下腿Ｌの前部が膨張部１３１により押されるため、被覆部１１４の突出量が小さい場合においても下腿Ｌが凹部１１１の外側に飛び出すおそれを低減できる。このため、開口部１１１Ｃの大きさを十分に確保でき、ユーザが下腿Ｌを凹部１１１に配置しやすい。また、オットマン１００の前後方向における中間壁１１５の長さがオットマン１００の前後方向における外側壁１１３の長さよりも短いため、開口部１１１Ｃの大きさを十分に確保でき、ユーザが下腿Ｌを凹部１１１に配置しやすい。
【００４６】
図６に示されるように、被覆部１１４の縁１１４Ｂはオットマン１００の高さ方向における被覆部１１４の中間部分１１４Ｃが最も突出するように緩やかに湾曲している。一例では、被覆部１１４の縁１１４Ｂは下腿Ｌにソフトな接触感が与えられる程度に緩やかに湾曲している。このため、凹部１１１内に移動しようとする下腿Ｌ、および、凹部１１１の外側に移動しようとする下腿Ｌが被覆部１１４の縁１１４Ｂに接触した場合に下腿Ｌにソフトな接触感が与えられる。また、オットマン１００の幅方向において、被覆部１１４の中間部分１１４Ｃにおける縁１１４Ｂと側壁主部１１３Ａとの距離は側壁主部１１３Ａの厚みよりも長い。
【００４７】
図７を参照して、内側面エアバッグ１４０の構成について説明する。
内側面エアバッグ１４０は例えば空気が供給される閉空間Ｓが形成されたエアバッグである。内側面エアバッグ１４０は第１溶着部１４１および第２溶着部１４２を備える。第１溶着部１４１は閉空間Ｓの外郭が形成されるように溶着された部分である。第２溶着部１４２は閉空間Ｓにおける空気の流れを調整できるように溶着された部分であり、閉空間Ｓの外郭よりも内側に形成されている。
【００４８】
内側面エアバッグ１４０は供給口１４４、膨張部１４５、および、案内部１４６をさらに備える。供給口１４４の機能は閉空間Ｓに空気を供給することである。供給口１４４はエアポンプ５６（図３参照）と繋がっている。膨張部１４５の機能は供給口１４４から供給された空気により膨張することである。案内部１４６は内側面エアバッグ１４０において、供給口１４４と膨張部１４５との間に設けられる。案内部１４６には、整列した複数の第２溶着部１４２が形成されている。第２溶着部１４２の数の一例は７本である。案内部１４６は流通路１４７を含む。流通路１４７は供給口１４４から膨張部１４５に空気が流れるように隣り合う第２溶着部１４２の間に形成されている。案内部１４６の流通路１４７を介して膨張部１４５に空気が供給されるため、供給口１４４から膨張部１４５に向かう空気の流れが安定する。第２溶着部１４２は第１溶着部１４１との間隔、および、隣り合う第２溶着部１４２の間隔によって流通路１４７を流れる空気の流れを調整可能である。一例では、膨張部１４５が所定の速度で膨張するように第１溶着部１４１と第２溶着部１４２との間隔、および、隣り合う第２溶着部１４２の間隔が設定されている。
【００４９】
第２溶着部１４２は主部１４２Ａおよび応力集中緩和部１４３を含む。主部１４２Ａは空気の流れを調整できるように形成された細長い部分である。主部１４２Ａは第１端部１４２Ｂおよび第２端部１４２Ｃを含む。第１端部１４２Ｂは主部１４２Ａのうちの供給口１４４側に形成されている。第２端部１４２Ｃは主部１４２Ａのうちの膨張部１４５側に形成されている。応力集中緩和部１４３は主部１４２Ａの端部１４２Ｂ、１４２Ｃにおける応力集中が緩和されるように形成されている。このため、第２溶着部１４２の応力集中が緩和される。
【００５０】
応力集中緩和部１４３は第１応力集中緩和部１４３Ａおよび第２応力集中緩和部１４３Ｂを含む。第１応力集中緩和部１４３Ａは主部１４２Ａの第１端部１４２Ｂにおける応力集中が緩和されるように第１端部１４２Ｂに形成されている。第１応力集中緩和部１４３Ａの最大幅ＭＷ１は主部１４２Ａの最大幅ＭＷ３と実質的に同じである。最大幅ＭＷ１、ＭＷ３は第２溶着部１４２が整列する方向の幅である。隣り合う第１端部１４２Ｂの間隔が広いため、供給口１４４から流通路１４７に流れる流量が多くなる。また、第１応力集中緩和部１４３Ａの形状は中心角が概ね１８０度の円弧である。円弧は円または楕円の円周の一部分である。
【００５１】
第２応力集中緩和部１４３Ｂは主部１４２Ａの第２端部１４２Ｃにおける応力集中が緩和されるように第２端部１４２Ｃに形成されている。第２応力集中緩和部１４３Ｂの最大幅ＭＷ２は主部１４２Ａの最大幅ＭＷ３よりも広い。最大幅ＭＷ２は第２溶着部１４２が整列する方向の幅である。この構成では、第２応力集中緩和部１４３Ｂの曲率を小さくできるため、第２溶着部１４２の応力集中が一層緩和される。このため、内側面エアバッグ１４０が膨張および収縮を繰り返しても劣化しにくい。
【００５２】
第２応力集中緩和部１４３Ｂの形状は円弧である。円弧は円または楕円の円周の一部分である。円弧の中心角Ａは１８０度よりも大きい。円弧の中心角Ａは円弧の中心と円弧の一方の端部とを繋ぐ仮想線ＶＬ１と、円弧の中心と円弧の他方の端部とを繋ぐ仮想線ＶＬ２とがなす円弧の角度である。中心角Ａに関する好ましい範囲の一例は１８０度以上、３６０度未満である。中心角Ａに関するより好ましい範囲の一例は２２５度以上、３１５度以下である。第２応力集中緩和部１４３Ｂの曲率を小さくできるため、第２溶着部１４２の応力集中が一層緩和される。
【００５３】
隣り合う第２応力集中緩和部１４３Ｂの間隔ＩＷは第２応力集中緩和部１４３Ｂの最大幅ＭＷ２以上である。この構成では、第２応力集中緩和部１４３Ｂが形成されていることにより隣り合う第２応力集中緩和部１４３Ｂの間隔ＩＷが隣り合う主部１４２Ａの間隔よりも狭くなるが、第２応力集中緩和部１４３Ｂの最大幅ＭＷ２以上であるため、流通路１４７から膨張部１４５に流れる空気の流れに対する抵抗の増加を低減できる。一例では、隣り合う第２応力集中緩和部１４３Ｂの間隔ＩＷは最大幅ＭＷ２と実質的に同じである。
【００５４】
供給口１４４から流通路１４７に流れる流量は供給口１４４に近い流通路１４７ほど多くなる。内側面エアバッグ１４０の正面視において、内側面エアバッグ１４０のうちの最も上方に設けられた第２溶着部１４２と第１溶着部１４１との間に形成された流通路（以下「主流通路１４７Ａ」）は、膨張部１４５側の幅が供給口１４４側の幅よりも広がっている。このため、供給口１４４から流通路１４７に流れる流量が多くなる。
【００５５】
図８に示されるように、内側面エアバッグ１４０は膨張部１４５が中間壁１１５上に位置し、案内部１４６が背壁１１６上に位置するように折り曲げられた状態で凹部１１１に配置される。背壁１１６は退避部１１８を含む。退避部１１８は案内部１４６上に下腿Ｌが配置された場合に流通路１４７を含む案内部１４６の一部が背壁１１６側に退避できるように構成されている。退避部１１８は例えば背壁１１６において、内側面エアバッグ１４０の主流通路１４７Ａと対向するように設けられている。退避部１１８の一例はオットマン１００の幅方向に延びる孔である。この構成では、内側面エアバッグ１４０が下腿Ｌから強い力を受けた場合、流通路１４７を含む内側面エアバッグ１４０の一部が退避部１１８に移動するため、その流通路１４７が下腿Ｌと背壁１１６とに圧縮される状態が形成されにくい。このため、供給口１４４から膨張部１４５に適切な量の空気が供給される。
【００５６】
図９に示されるように、内側面エアバッグ１４０および補助エアバッグ１５０は１つのカバーＣにより一体的に覆われている。図９に示される例では、内側面エアバッグ１４０、補助エアバッグ１５０、および、中間壁１１５が１つのカバーＣにより一体的に覆われている。このため、カバーＣの構成が簡素化される。また、補助エアバッグ１５０は内側面エアバッグ１４０のうちの膨張部１４５および案内部１４６（図７参照）に対応する部分が膨張するように構成されている。このため、凹部１１１に配置された下腿Ｌに多様なマッサージを提供できる。また、外側面エアバッグ１３０（図４参照）を覆うカバーＣは、外側壁１１３と対向する部分の素材がストレッチ素材である。ストレッチ素材がカバーＣのうちの下腿Ｌと接触しにくい部分に設けられているため、外側面エアバッグ１３０を覆うカバーＣが劣化しにくい。
【００５７】
図１０〜図１４を参照して、第２押圧部１６０の具体的な構成について説明する。
図１０に示されるように、第２押圧部１６０は複数の膝裏エアバッグ１６１および一対の突起１６５を含む。複数の膝裏エアバッグ１６１は凹部１１１（図４参照）の深さ方向に積層されている。突起１６５は、積層された複数の膝裏エアバッグ１６１のうちの凹部１１１の開口部１１１Ｃ側の膝裏エアバッグ１６１に設けられる（図４参照）。この構成では、複数の膝裏エアバッグ１６１が膨張することにより膝裏エアバッグ１６１が凹部１１１に対して大きく突出するため、第２押圧部１６０により膝裏に与えられるマッサージ感が高められる。
【００５８】
一方、膝裏エアバッグ１６１が膨張していない状態（以下「非膨張状態」）では、膝裏と第２押圧部１６０とが接触しないことが好ましい。しかし、非膨張状態において膝裏と第２押圧部１６０とが接触しない状態では、膝裏エアバッグ１６１が膨張した場合に第２押圧部１６０により膝裏に与えられるマッサージ感が低下する。オットマン１００によれば、複数の膝裏エアバッグ１６１が膨張することにより膝裏エアバッグ１６１が凹部１１１に対して大きく突出するため、非膨張状態において膝裏と第２押圧部１６０とが接触しない構成を用いたとしても、第２押圧部１６０により膝裏に与えられるマッサージ感が低下しにくい。
【００５９】
図１１に示されるように、複数の膝裏エアバッグ１６１は第１右膝裏エアバッグ１６２、第１左膝裏エアバッグ１６３、および、第２膝裏エアバッグ１６４を含む。第１右膝裏エアバッグ１６２の機能は右凹部１１１Ａ（図１５参照）に配置された右下腿Ｌ１の膝裏を押すことである。第１左膝裏エアバッグ１６３の機能は左凹部１１１Ｂ（図１５参照）に配置された左下腿Ｌ２の膝裏を押すことである。第１右膝裏エアバッグ１６２および第１左膝裏エアバッグ１６３の形状の一例は概ね長方形状である。第２膝裏エアバッグ１６４の形状の一例は概ね長方形状である。一方の突起１６５が第１右膝裏エアバッグ１６２に設けられ、他方の突起１６５が第１左膝裏エアバッグ１６３に設けられる。
【００６０】
第１右膝裏エアバッグ１６２および第１左膝裏エアバッグ１６３は、第２膝裏エアバッグ１６４よりも柔軟な材料により構成されている。一例では、第１右膝裏エアバッグ１６２および第１左膝裏エアバッグ１６３は膝裏にソフトな接触感が与えられるような柔軟な材料により構成されている。第１右膝裏エアバッグ１６２および第１左膝裏エアバッグ１６３を構成する材料の一例はナイロンである。第２膝裏エアバッグ１６４を構成する材料の一例はポリエチレンである。第１右膝裏エアバッグ１６２および第１左膝裏エアバッグ１６３が膝裏と接触した場合にソフトな接触感が得られるため、好ましいマッサージ感が膝裏に与えられやすい。
【００６１】
第２膝裏エアバッグ１６４は、第１右膝裏エアバッグ１６２および第１左膝裏エアバッグ１６３を膝裏に向けて押すように第１右膝裏エアバッグ１６２および第１左膝裏エアバッグ１６３に対して背壁１１６（図４参照）側に配置されている。一例では、第１右膝裏エアバッグ１６２が第２膝裏エアバッグ１６４と連通するように第２膝裏エアバッグ１６４に設けられ、第１左膝裏エアバッグ１６３が第２膝裏エアバッグ１６４と連通するように第２膝裏エアバッグ１６４に設けられ、第２膝裏エアバッグ１６４が背壁１１６に設けられている。この構成では、第１右膝裏エアバッグ１６２と第１左膝裏エアバッグ１６３とが個別に膨張するため、右下腿Ｌ１の膝裏および左下腿Ｌ２の膝裏のそれぞれが適切にマッサージされる。
【００６２】
第２膝裏エアバッグ１６４は、例えば第１右膝裏エアバッグ１６２に対して背壁１１６側に配置された第２右膝裏エアバッグ１６４Ａ、および、第１左膝裏エアバッグ１６３に対して背壁１１６側に配置された第２左膝裏エアバッグ１６４Ｂを含めて一体的に構成されている。この構成では、第２右膝裏エアバッグ１６４Ａと第２左膝裏エアバッグ１６４Ｂとが個別に構成される場合よりも膨張量が大きくなる。このため、第２押圧部１６０により膝裏に与えられるマッサージ感が高められる。
【００６３】
図１２に示されるように、膝裏エアバッグ１６１の最大膨張部ＭＫ１の位置は、第１右膝裏エアバッグ１６２の最大膨張部ＭＫ１の位置および第１左膝裏エアバッグ１６３の最大膨張部ＭＫ１の位置と同じである。最大膨張部はエアバッグのうちの最も膨張する部分の中心を示す。第１右膝裏エアバッグ１６２の最大膨張部ＭＫ１の位置および第１左膝裏エアバッグ１６３の最大膨張部ＭＫ１の位置は、脚支持部１１０（図４参照）の幅方向において第２膝裏エアバッグ１６４の最大膨張部ＭＫ２の位置と異なる。一例では、最大膨張部ＭＫ１は脚支持部１１０の幅方向において、最大膨張部ＭＫ２の外側に設定されている。この構成では、一対の突起１６５が互いに反対方向を向くように第１右膝裏エアバッグ１６２および第１左膝裏エアバッグ１６３が膨張するため、膝裏が指圧されたようなマッサージ感がユーザに与えられる。このため、高いマッサージ感が膝裏に与えられる。
【００６４】
図１３に示されるように、第２押圧部１６０は第１右固定部１６６Ａ（図１０参照）、第１左固定部１６６Ｂ、および、一対の第２固定部１６７をさらに含む。第１右固定部１６６Ａは第１右膝裏エアバッグ１６２を脚支持部１１０（図４参照）に固定できるように第１右膝裏エアバッグ１６２から帯状に延びている。第１左固定部１６６Ｂは第１左膝裏エアバッグ１６３を脚支持部１１０に固定できるように第１左膝裏エアバッグ１６３から帯状に延びている。第２固定部１６７は第２膝裏エアバッグ１６４を脚支持部１１０に固定できるように第２膝裏エアバッグ１６４から帯状に延びている。一方の第２固定部１６７は脚支持部１１０の幅方向において、第２膝裏エアバッグ１６４のうちの第１右固定部１６６Ａと対応する位置から延びている。他方の第２固定部１６７は脚支持部１１０の幅方向において、第２膝裏エアバッグ１６４のうちの第１左固定部１６６Ｂと対応する位置から延びている。
【００６５】
図１４に示されるように、第１右固定部１６６Ａおよび一方の第２固定部１６７が固定具１６８により背壁１１６の背面側に固定され（図１０参照）、第１左固定部１６６Ｂおよび他方の第２固定部１６７が固定具１６８により背壁１１６の背面側に固定されている。固定具１６８の一例はリベットである。図１４は膝裏エアバッグ１６１が膨張した状態を示している。
【００６６】
第１右固定部１６６Ａのうちの背壁１１６に固定された部分から第１右膝裏エアバッグ１６２に接続された部分までの長さ（以下「第１右固定部長さ」）は、第２固定部１６７のうちの背壁１１６に固定された部分から第２膝裏エアバッグ１６４に接続された部分までの長さ（以下「第２固定部長さ」）よりも長い。また、第１左固定部１６６Ｂのうちの背壁１１６に固定された部分から第１左膝裏エアバッグ１６３に接続された部分までの長さ（以下「第１左固定部長さ」）は、第２固定部長さよりも長い。この構成では、第１右膝裏エアバッグ１６２および第１左膝裏エアバッグ１６３の膨張が第１右固定部１６６Ａおよび第１左固定部１６６Ｂにより制限されにくいため、好ましいマッサージ感が膝裏に与えられやすい。
【００６７】
図１５を参照して、オットマン１００の動作の一例について説明する。
オットマン１００は例えばユーザにより次のように使用される。第１手順では、脚支持部１１０の凹部１１１に下腿Ｌが配置される。外側面エアバッグ１３０の縁１３３が外側壁１１３の被覆部１１４により覆われているため、第１手順においてユーザが開口部１１１Ｃから凹部１１１内に下腿Ｌを移動させようとした場合に下腿Ｌが外側面エアバッグ１３０の縁１３３に引っ掛かりにくい。第２手順では、コントローラ３０が操作されることによりマッサージ機１の電源がオンに設定され、任意のマッサージコースが選択される。任意のマッサージコースが選択されることによりオットマン１００が駆動し始める。
【００６８】
始めに、外側面エアバッグ１３０の膨張部１３１が膨張し、膨張部１３１が膨張にともない下腿Ｌの前部に向かって倒れ始める。下腿Ｌの前部および側部が膨張部１３１により押されることによって、開口部１１１Ｃ側への下腿Ｌの移動が妨げられる状態が形成される。次に、膝裏エアバッグ１６１が膨張し始め、突起１６５が開口部１１１Ｃ側かつ外側壁１１３側に向けて突出し始める。このため、ユーザの膝裏が突起１６５によりマッサージされ、好ましいマッサージ感が膝裏に与えられる。図１５の二点鎖線は膨張部１３１および膝裏エアバッグ１６１が膨張した状態を示している。また、開口部１１１Ｃへの下腿Ｌの移動が膨張部１３１により妨げられているため、突起１６５により膝裏に与えられるマッサージ感が高められる。なお、オットマン１００は開口部１１１Ｃが上方を向くように座１１に対して回転した状態で使用することもできる。この使用例では、第２押圧部１６０と膝裏との関係を任意に調節できる。
【００６９】
（変形例）
実施の形態に関する説明は本発明に関するオットマンおよびこれを備えるマッサージ機が取り得る形態の例示であり、その形態を制限することを意図していない。本発明は実施の形態以外に例えば以下に示される実施の形態の変形例、および、相互に矛盾しない少なくとも２つの変形例が組み合わせられた形態を取り得る。
【００７０】
・第１右固定部長さおよび第２左固定部長さと第２固定部長さとの関係は任意に変更可能である。第１例では、第１右固定部長さおよび第２左固定部長さは第２固定部長さと実質的に同じである。第２例では、第１右固定部長さおよび第２左固定部長さは第２固定部長さよりも短い。
【００７１】
・第１右膝裏エアバッグ１６２および第１左膝裏エアバッグ１６３の材料と第２膝裏エアバッグ１６４の材料との関係は任意に変更可能である。第１例では、第１右膝裏エアバッグ１６２および第１左膝裏エアバッグ１６３は第２膝裏エアバッグ１６４と同じ材料により構成される。第２例では、第２膝裏エアバッグ１６４は第１右膝裏エアバッグ１６２および第１左膝裏エアバッグ１６３よりも柔軟な材料により構成される。
【００７２】
・第２膝裏エアバッグ１６４の構成は任意に変更可能である。一例では、第２膝裏エアバッグ１６４は第２右膝裏エアバッグ１６４Ａと第２左膝裏エアバッグ１６４Ｂとが個別に設けられることにより構成される。この例によれば、第２右膝裏エアバッグ１６４Ａと第２左膝裏エアバッグ１６４Ｂとが互いに連通してもよい。また、脚支持部１１０の幅方向における最大膨張部ＭＫ１の位置が最大膨張部ＭＫ２の位置と同じであってもよい。
【００７３】
・膝裏エアバッグ１６１の形状は任意に変更可能である。一例では、第１右膝裏エアバッグ１６２および第１左膝裏エアバッグ１６３の形状は、膝裏エアバッグ１６１の正面視において脚支持部１１０の中心側に近づくにつれて小さくなる形状である。第２膝裏エアバッグ１６４の形状は概ね長方形状である。この例によれば、第１右膝裏エアバッグ１６２および第１左膝裏エアバッグ１６３が互いに平行して延びるように膨張する。
【００７４】
・第１押圧部１２０の構成は任意に変更可能である。一例では、第１押圧部１２０は一対の施療装置を含む。施療装置は例えば施療装置２０と実質的に同じ構成を備える。施療装置は施療ブロック、アーム、および、揉み玉を含む。施療ブロックは例えば外側壁１１３および中間壁１１５のうちの少なくとも一方の内部に設けられる。施療装置が揉み玉を駆動することにより下腿Ｌがマッサージされる。なお、第２押圧部１６０においても同様の変形例が成立する。
【００７５】
・第２押圧部１６０の構成は任意に変更可能である。第１例では、第２押圧部１６０は１つまたは一対の膝裏エアバッグ１６１を含む。第２押圧部１６０が１つの膝裏エアバッグ１６１により構成される場合、右下腿Ｌ１の膝裏および左下腿Ｌ２の膝裏のそれぞれが１つの膝裏エアバッグ１６１によりマッサージされる。第２例では、第２押圧部１６０は凹部１１１の深さ方向に３つ以上積層された複数の膝裏エアバッグ１６１を含む。第３例では、一対の突起１６５が第２押圧部１６０から省略される。
【００７６】
・退避部１１８の構成は任意に変更可能である。第１例では、退避部１１８はオットマン１００の幅方向に延びる凹部である。第２例では、２つ以上の退避部１１８が各凹部１１１Ａ、１１１Ｂの背壁１１６に設けられる。なお、オットマン１００は退避部１１８を省略した形態を取り得る。
【００７７】
・第１応力集中緩和部１４３Ａの構成は任意に変更可能である。第１例では、第１応力集中緩和部１４３Ａの最大幅ＭＷ１が主部１４２Ａの最大幅ＭＷ３よりも広い。第２例では、第１応力集中緩和部１４３Ａの最大幅ＭＷ１が主部１４２Ａの最大幅ＭＷ３よりも狭い。第３例では、第１応力集中緩和部１４３Ａの構成が第２応力集中緩和部１４３Ｂの構成と実質的に同じである。なお、内側面エアバッグ１４０は第１応力集中緩和部１４３Ａを省略した形態を取り得る。
【００７８】
・第２応力集中緩和部１４３Ｂの構成は任意に変更可能である。第１例では、第２応力集中緩和部１４３Ｂの最大幅ＭＷ２が主部１４２Ａの最大幅ＭＷ３と実質的に同じである。第２例では、第２例では、第２応力集中緩和部１４３Ｂの最大幅ＭＷ２が主部１４２Ａの最大幅ＭＷ３よりも狭い。第３例では、第２応力集中緩和部１４３Ｂの間隔ＩＷが第２応力集中緩和部１４３Ｂの最大幅ＭＷ２よりも狭い。第４例では、第２応力集中緩和部１４３Ｂの中心角Ａが１８０度未満である。なお、内側面エアバッグ１４０は第２応力集中緩和部１４３Ｂを省略した形態を取り得る。
【００７９】
・第２溶着部１４２の数は任意に変更可能である。一例では、第２溶着部１４２の数は６本以下または８本以上である。
・内側面エアバッグ１４０は案内部１４６を省略した形態を取り得る。この例では、供給口１４４が膨張部１４５に設けられる。
【００８０】
・オットマン１００の前後方向における中間壁１１５の長さとオットマン１００の前後方向における外側壁１１３の長さとの関係は任意に変更可能である。第１例では、オットマン１００の前後方向における中間壁１１５の長さはオットマン１００の前後方向における外側壁１１３の長さと実質的に同じである。第２例では、オットマン１００の前後方向における中間壁１１５の長さはオットマン１００の前後方向における外側壁１１３の長さよりも長い。
【００８１】
・膨張部１３１と被覆部１１４の内面１１４Ａとの関係は任意に変更可能である。一例では、膨張部１３１は被覆部１１４の内面１１４Ａに固定される。この例によれば、膨張部１３１が膨張にともない下腿Ｌの前部および側部を押さえることができるように、被覆部１１４の内面１１４Ａが傾いていることが好ましい。
【００８２】
・被覆部１１４と外側壁１１３との関係は任意に変更可能である。一例では、被覆部１１４は中間壁１１５に設けられる。なお、オットマン１００は被覆部１１４を省略した形態を取り得る。
【００８３】
・膨張部１３１の上端部１３１Ａと膝裏エアバッグ１６１の最大膨張部ＭＫ１との関係は任意に変更可能である。第１例では、外側面エアバッグ１３０は膨張部１３１の上端部１３１Ａが膝裏エアバッグ１６１の最大膨張部ＭＫ１と同じ高さに位置するように外側壁１１３に設けられる。第２例では、外側面エアバッグ１３０は膨張部１３１の上端部１３１Ａが膝裏エアバッグ１６１の最大膨張部ＭＫ１よりも上方に位置するように外側壁１１３に設けられる。
【００８４】
・膨張部１３１の最大膨張部ＭＥと膝裏エアバッグ１６１の最大膨張部ＭＫ１との関係は任意に変更可能である。第１例では、外側面エアバッグ１３０は膨張部１３１の最大膨張部ＭＥが膝裏エアバッグ１６１の最大膨張部ＭＫ１と実質的に同じ高さに位置するように外側壁１１３に設けられる。第２例では、外側面エアバッグ１３０は膨張部１３１の最大膨張部ＭＥが膝裏エアバッグ１６１の最大膨張部ＭＫ１よりも上方に位置するように外側壁１１３に設けられる。
【００８５】
・外側面エアバッグ１３０の構成は任意に変更可能である。第１例では、非膨張部１３２が外側面エアバッグ１３０から省略される。第２例では、膨張部１３１は外側壁１１３のうちの背壁１１６寄りの部分、または、外側壁１１３のうちの上方の部分に設けられる。第３例では、外側面エアバッグ１３０の全部が膨張部１３１を構成する。
【００８６】
・オットマン１００はマッサージ機１から独立した１つの物体として構成される。この例では、足置台１８０が床面等の設置面に設置される。また、オットマン１００は足置台１８０および連結支持部１９０を省略した形態を取り得る。
【産業上の利用可能性】
【００８７】
本発明に関するオットマンおよびこれを備えるマッサージ機は、家庭用および業務用をはじめとする各種のマッサージ機に利用できる。
【符号の説明】
【００８８】
１        ：マッサージ機
１０      ：椅子
１００    ：オットマン
１１０    ：脚支持部
１１１    ：凹部
１１１Ｃ  ：開口部
１６０    ：第２押圧部（押圧部）
１６１    ：膝裏エアバッグ
１６２    ：第１右膝裏エアバッグ
１６３    ：第１左膝裏エアバッグ
１６４    ：第２膝裏エアバッグ
１６４Ａ  ：第２右膝裏エアバッグ
１６４Ｂ  ：第２左膝裏エアバッグ
１６５    ：突起
１６６Ａ  ：第１右固定部
１６６Ｂ  ：第１左固定部
１６７    ：第２固定部
ＭＫ１    ：最大膨張部
ＭＫ２    ：最大膨張部
Ｌ        ：下腿
Ｌ１      ：右下腿
Ｌ２      ：左下腿
【図１】
2018171287.tif 000003
【図２】
2018171287.tif 000004
【図３】
2018171287.tif 000005
【図４】
2018171287.tif 000006
【図５】
2018171287.tif 000007
【図６】
2018171287.tif 000008
【図７】
2018171287.tif 000009
【図８】
2018171287.tif 000010
【図９】
2018171287.tif 000011
【図１０】
2018171287.tif 000012
【図１１】
2018171287.tif 000013
【図１２】
2018171287.tif 000014
【図１３】
2018171287.tif 000015
【図１４】
2018171287.tif 000016
【図１５】
2018171287.tif 000017